(57)【要約】【課題】デジタルカメラ・ビデオカメラ等の光学機器で動画を撮影する際、記録中にズームを行った際の、本体マイクに録音されるズーム騒音を低減する。【解決手段】少なくとも1つ以上の光軸方向に移動しないレンズ群と、少なくとも1つ以上の光軸方向に移動するレンズ群と、光軸方向に移動しないレンズ群を保持する固定レンズ保持枠と、光軸方向に移動するレンズ具を保持する移動レンズ保持枠と、移動レンズ保持枠を光軸方向にガイドするガイド部材と、移動レンズを光軸方向に駆動するアクチュエータとを有し、光軸方向に移動するレンズ移動枠及び前記ガイド部材及び前記アクチュエータを等の光軸方向の移動に係る部材を保持する可動部保持ユニットと、それ以外を保持する固定部保持ユニットから構成される事を特徴とするレンズ鏡筒及びそれを搭載した光学機器。【選択図】図５
2016029420.tif 000002
【特許請求の範囲】
【請求項１】
少なくとも1つ以上の光軸方向に移動しないレンズ群と、
少なくとも1つ以上の光軸方向に移動するレンズ群と、
光軸方向に移動しないレンズ群を保持する固定レンズ保持枠と、
光軸方向に移動するレンズ具を保持する移動レンズ保持枠と、
移動レンズ保持枠を光軸方向にガイドするガイド部材と、
移動レンズを光軸方向に駆動するアクチュエータと、
を有し、
光軸方向に移動するレンズ移動枠及び前記ガイド部材及び前記アクチュエータの光軸方向の移動に係る部材を保持する可動部保持ユニットと、それ以外を保持する固定部保持ユニットから構成されることを特徴とするレンズ鏡筒及びそれを搭載した光学機器。
【請求項２】
前記固定部保持ユニットと可動部保持ユニットの結合部は、光軸方向に移動するレンズ群のうち変倍動作を行うレンズ群が最も像側に移動した時のレンズ群よりも像側で連結されていることを特徴とする請求項１に記載のレンズ鏡筒及びそれを搭載した光学機器。
【請求項３】
前記結合部の一部は２色成形、またはインサート成形により周辺の材料よりも振動減衰率の高い材料で形成されていることを特徴とする請求項１又は請求項２に記載のレンズ鏡筒及びそれを搭載した光学機器。
【請求項４】
前記固定部保持ユニットと可動部保持ユニットの結合部の間には、固定部保持ユニットや可動部保持ユニットよりも振動減衰率の高い材料で形成された振動減衰部材が挟まれており、固定部保持ユニットと可動部保持ユニットが直接接触していないことを特徴とする請求項１又は請求項２に記載のレンズ鏡筒及びそれを搭載した光学機器。
【請求項５】
前記振動減率の高い材料は液晶ポリマーで形成されていることを特徴とする請求項１乃至請求項４の何れか一項に記載のレンズ鏡筒及びそれを搭載した光学機器。
【請求項６】
前記振動減率の高い材料は制振合金で形成されている事を特徴とする請求項１乃至請求項５の何れか一項に記載のレンズ鏡筒及びそれを搭載した光学機器。
【発明の詳細な説明】
【技術分野】
【０００１】
本発明は、光学機器に関し特にデジタルスチルカメラやビデオカメラ等の光学機器における電動ズームや電動フォーカス機構を有するレンズ鏡筒および光学機器に関するものである。
【背景技術】
【０００２】
デジタルスチルカメラやビデオカメラ等の光学機器では、変倍レンズやフォーカスレンズ等のレンズ駆動ステッピングモータを用い、モータシャフトに形成された送りネジとそれに噛み合うラックによって構成された移動機構やボイスコイルモータ（VCM）によるダイレクト駆動により、レンズを光軸方向に駆動する機構が多く用いられている。
【０００３】
図2はステッピングモータによる変倍レンズの駆動機構部を簡略的に示している。1001は1群レンズであり、1群レンズ保持枠1001aに保持されている。1002は変倍（フォーカス）を行う第2レンズであり、第2レンズ1002を保持し光軸方向に移動可能な第2レンズ保持枠1002aにより保持されている。第2レンズ保持枠1002aは光軸に対して略平行に配置されて2本のガイド部材1003a,1003bにより支持されている。また前記ガイド部材1003a,1003bは前側保持部材1004及び後側保持部材1005により挟持されている。後側保持部材1005にはステッピングモータ1006がビスにより固定されている。
【０００４】
ステッピングモータ1006のシャフトには送りネジ1006aが設けられており、第2レンズ保持枠1002aと連結するラック1002bの歯部と螺合されており、ステッピングモータ1006の回転により第2レンズ1002が光軸方向に移動する。以上がステッピングモータによる変倍レンズの駆動方法である。
【０００５】
上記のような駆動機構において、ステッピングモータを回転させるとそれに応じて振動が発生する。発生した振動はステッピングモータ1006から後側保持部材1005にビスに伝達され、そこからさらに、前側保持部材1004、1群レンズ保持枠1001aに保持されている1群レンズ1001に伝達される。各部品に伝達された振動は各部材を振動させる為、各部材より音が放射される。放射された音は空気中を伝わり、製品本体マイクに伝達する事で動画に録音される。
【０００６】
また、レンズ鏡筒の各部品に伝わった振動はさらに、レンズ鏡筒の本体取付部から本体に伝達され、本体の部品を介してセットマイクに伝達する。マイクに伝達された振動も音として録音されてしまう事がある。この放射された音は本来不要な音の為、記録された音により動画の品位が低下すると言う課題があった。
【０００７】
このような課題に対して下記のような従来技術がある。特許文献１では、レンズ鏡筒とフロントケースとの接触部においてレンズ鏡筒の前面外周部に当節し、光軸に対して垂直方向に変形するL型弾性部材を設け、該弾性部材がレンズ鏡筒の駆動モータから発生する放射音と振動を遮断している。
【先行技術文献】
【特許文献】
【０００８】
【特許文献１】特許第4669436号公報
【発明の概要】
【発明が解決しようとする課題】
【０００９】
しかしながら、上記従来例を用いても、レンズ鏡筒から放射される放射音自身は低減されない為、レンズ鏡筒から放射される騒音（空気を伝達する音）は製品本体のマイクに録音されてしまうことがあった。
【００１０】
また、振動減衰効果の観点からレンズを保持している保持枠を減衰効果の高い材料、例えば液晶ポリマーに変更する手法もあるが、材料の特性上タッピングビスを使用すると部品が割れたり、レンズのカシメ固定ができない等の弊害がある為採用できなかった。
【００１１】
本発明の目的は、被写体側のレンズ表面から放射される放射音を低減でき、しいては製品本体マイクに録音されるズーム騒音を低減させることにある。
【課題を解決するための手段】
【００１２】
本発明は、少なくとも1つ以上の光軸方向に移動しないレンズ群と、少なくとも1つ以上の光軸方向に移動するレンズ群と、光軸方向に移動しないレンズ群を保持する固定レンズ保持枠と、光軸方向に移動するレンズ具を保持する移動レンズ保持枠と、移動レンズ保持枠を光軸方向にガイドするガイド部材と、移動レンズを光軸方向に駆動するアクチュエータと、を有し、光軸方向に移動するレンズ移動枠及び前記ガイド部材及び前記アクチュエータを等の光軸方向の移動に係る部材を保持する可動部保持ユニットと、それ以外を保持する固定部保持ユニットから構成されることを特徴とするレンズ鏡筒及びそれを搭載した光学機器である。
【発明の効果】
【００１３】
本発明によれば、被写体側のレンズ表面から放射される放射音を低減でき、しいては製品本体マイクに録音されるズーム騒音を低減させることができる。
【図面の簡単な説明】
【００１４】
【図１】ビデオカメラの斜視図
【図２】変倍レンズ駆動機構の簡略図
【図３】実施例１のレンズ鏡筒斜視図
【図４】実施例１のレンズ鏡筒分解斜視図
【図５】実施例１に示す本発明の構成説明図
【図６】実施例１の振動伝達経路説明
【図７】実施例２の分解斜視図
【図８（ａ）】実施例２の振動伝達経路説明図
【図８（ｂ）】実施例２の振動伝達経路説明図
【図８（ｃ）】実施例２の振動伝達経路説明図
【図８（ｄ）】実施例２の振動伝達経路説明図
【図９】実施例２の発明効果説明図
【図１０】実施例２に示す振動減衰部材の寸法関係
【図１１】実施例２に示す振動減衰部材の配置例
【発明を実施するための形態】
【００１５】
以下に、本発明の好ましい実施の形態を、添付の図面に基づいて詳細に説明する。図1は、本発明の実施形態にかかわるビデオカメラやデジタルカメラ等の光学機器（以下カメラという）の構成を示した図である。Ｌはズーミングが可能なレンズ鏡筒、Ｂはカメラ本体を示す。カメラ本体Ｂ内には、レンズ鏡筒Ｌ内の撮影光学系により形成された被写体像を記録するための撮像素子が収納されている。
【００１６】
［実施例１］
以下、本発明の実施例について主に光学機器特にビデオカメラ等に搭載されるレンズ鏡筒の構成と共に説明する。図３は撮影光学系は４つのレンズにより構成された変倍光学系（ズームレンズ系）である。図４は図３の分解斜視図である。
【００１７】
図４において、Ｌ101は第１レンズ、Ｌ102は光軸方向に移動することにより変倍作用を行う第２レンズである。Ｌ103は第３レンズである。Ｌ104は光軸方向に移動することにより焦点調節を行う第４レンズである。また、101は第１レンズＬ101を保持する第１レンズ枠、102は第２レンズＬ102を保持するバリエータ移動枠である。103は第３レンズＬ103を保持する第3レンズ枠で、104は第４レンズＬ104を保持するフォーカス移動枠である。105は可動部保持枠である。
【００１８】
106、107は第１ガイドバー、第２ガイドバーであり、バリエータ移動枠102及びフォーカス移動枠104を光軸方向に移動可能に支持している。なお、第1ガイドバー、第2ガイドバーそれぞれの一端は可動部保持枠105の穴105a,105bにそれぞれ圧入保持される。第1ガイドバー106、第2ガイドバー107のもう一端は可動部保持枠105の105c、105d部に圧入され、さらに接着固定されている。
【００１９】
110は撮影光学系に入射した光量を変化させる光量調節ユニットであり、第1レンズ枠3にビス止め固定される。２枚の絞り羽根を光軸直交方向に移動させて開口径を変化さ光量を調節する。また２枚の絞り羽のうち一方にはNDフィルター110aが取り付けてあり、光量を調整する。
【００２０】
ここで、第1レンズ枠101、バリエータ移動枠102、第3レンズ枠103、フォーカス移動枠104、固定部保持枠105はガラス繊維入りポリカーボネイトで出来ている。
【００２１】
次に、バリエータ移動枠２（第２レンズL２）を移動させる駆動部の構成について説明する。112はバリエータ移動枠２を光軸方向に駆動するステッピングモータである。ステッピングモータ112の出力軸にはリードスクリュー112aが形成されている。このステッピングモータ112は、支持部材112bを介して可動部保持枠105にビス止め固定される。前記リードスクリュー112aには、バリエータ移動枠102に取り付けられたラック108が噛み合っている。このため、ステッピングモータ112に通電されてリードスクリュー112aが回転すると、バリエータ移動枠102が光軸方向に駆動される。
【００２２】
なお、前記ラック108と前記バリエータ移動枠102は、不図示のねじりコイルバネの付勢力によって互いのガタ付きが阻止されている。
【００２３】
次に、フォーカス移動枠104（第４レンズL４）を移動させるフォーカス駆動部の構成について説明する。
【００２４】
113はフォーカス移動枠４を光軸方向に駆動するステッピングモータである。ステッピングモータ113の出力軸には、リードスクリュー113aが形成されている。このステッピングモータ113は、支持部材113bを介して可動部保持枠に固定される。前記リードスクリュー113ｂには、フォーカス移動枠104に取り付けられたラック109が噛み合っている。このため、ステッピングモータ113に通電されてリードスクリュー113aが回転すると、フォーカス移動枠104が光軸方向に駆動される。  なお、前記ラック109は、前記フォーカス移動枠104と、不図示のねじりコイルバネの付勢力によって互いのガタつきが阻止されている。
【００２５】
111は、バリエータ移動枠102及びフォーカス移動枠104の基準位置を検出するためのリセットセンサである。前記バリエータ移動枠102及びフォーカス移動枠104に形成された不図示の遮光部の光軸方向への移動による遮光状態、透光状態の切り換わりを検出するフォトインタラプタにより構成されている。
【００２６】
前記リセットセンサ111は、フレキシブル基板114を介して後部鏡筒６に固定されている。また、前記バリエータ移動枠102及びフォーカス移動枠104は、ステッピングモータ112及び113に入力するパルス数をカウントする事で、前記バリエータ移動枠102及びフォーカス移動枠104、つまりは第2レンズL2及び第４レンズＬ４の所定の基準位置からの移動量を検出することができる。
【００２７】
なお、本構成におけるバリエータ移動枠102、フォーカス移動枠104の基準位置を検出するリセットセンサ111は共用の為、特開2010-210868に記載の手法で基準位置検出を行う。
【００２８】
次に本発明における各部品の固定方法について説明する。本実施例の構成において、レンズ鏡筒を形成する部品は大きく分けて図5のαに示す固定部保持ユニットとβに示す可動部保持ユニットに分類される。
【００２９】
そのうち固定部保持ユニットαは第1レンズ枠101をベースとし、第３レンズ枠103、光量調整ユニット110を位置決め保持している。保持されたユニットの中で、光量調整ユニット110は唯一の駆動部であるが、駆動方向は光軸直交方向である為、光軸方向（１群前側）へ放射される音への影響は極めて小さい。
【００３０】
次に可動部保持ユニットβの構成について説明する。前記の通り、可動部保持枠105にはバリエータ移動枠102及びフォーカス移動枠104を光軸方向に移動可能に支持している第１ガイドバー106、第２ガイドバー107の一端は可動部保持枠105の穴105a,105bにそれぞれ圧入保持し、もう一端は可動部保持枠105の105c、105d部に圧入され、さらに接着固定されている。また、ステッピングモータ112、113はビス止め固定されており、前記の通りリードスクリュー112aと113cとラック108、109がそれぞれ噛み合い、ステッピングモータの回転によりバリエータ移動枠102とフォーカス移動枠104が光軸方向に移動する。
【００３１】
例えば、ハリエータ移動枠光軸方向に移動する際、モータ部及びバリエータ部で発生する振動は移動枠と同方向（光軸方向）の振動であり、光軸方向の振動成分を発生させる要因となる部品を可動部保持枠105にまとめた事が特徴である。
【００３２】
次に可動部保持ユニットαと固定部保持ユニットβの結合部について説明する。図５のβ１は固定部保持ユニットαと可動部保持ユニットβの光軸直交垂直方向の位置決めをする受け面であるり、固定部保持ユニットのα１部と接触する。この受け面の寸法関係により、1・３群レンズと２・４群の光軸直交垂直方向の光軸を精度よく決める事ができる。β2は固定部保持ユニットαと可動部保持ユニットβの光軸直交水平方向の位置を決める位置決めピンであり固定部保持ユニットαの穴部α２と嵌合する。β3、α3部は可動部保持ユニットβと固定部保持ユニットαの光軸方向の位置決め固定する為の受け面であり、1・３群レンズと２・４群の光軸方向の位置関係を決めている。
【００３３】
以上２方向の位置決め面及び一対の位置決めピンにより光軸方向・光軸直交垂直方向・光軸直交水平方向の３方向の位置決めが可能となる。また、寸法を追い込む場合は101または105のどちらかの寸法を調整するだけで追い込みが可能となる為、光学性能の追い込みが容易に行える。また本構成においては3つの接触部以外は接触しておらず、入れ子構造にしゴミの進入のみを防ぐ構造となっている為、振動の伝達経路を3つの接触部に限定する事ができる。
【００３４】
図６は振動の伝達経路を示している。例えばステッピングモータ112で発生した振動は、支持部材112bからビス止め部を介して可動部保持枠105に伝達される。可動部保持枠105に伝達された振動は第1レンズ保持枠との接触2a,2b,2cから伝達されるが、本構成においては2a,2b以外は接触していない為、全ての振動が2a,2bを通して伝わる事になる。
【００３５】
図５の固定部保持ユニットαのハッチングで示した部分α１〜α3は2色成型により液晶ポリマーで形成されている。液晶ポリマーの特徴としては、ポリカーボネイトよりも振動減衰効果が高く成形性が良いと言う利点がある。前記の通り本構成では振動の伝達経路を絞ってあり、かつその経路の途中に振動減衰効果の高い液晶ポリマーによって可動部保持ユニットβから固定部保持ユニットαに振動が伝達した際に振動が減衰される。
【００３６】
以上に示した通り、前記の構成を取る事で可動部保持ユニットβから固定部保持ユニットαに振動を伝達する経路上に振動減衰部材を配置する事で、振動の低減及びそれに係る騒音の低減効果を得る事ができる。
【００３７】
［実施例２］
以下、本発明の実施例２について主に光学機器特にビデオカメラ等に搭載されるレンズ鏡筒の構成と共に説明する。撮影光学系は４つのレンズにより構成された変倍光学系（ズームレンズ系）である。
【００３８】
図７において、Ｌ１は第１レンズ、Ｌ２は光軸方向に移動することにより変倍作用を行う第２レンズである。Ｌ３は第３レンズである。Ｌ４は光軸方向に移動することにより焦点調節を行う第４レンズである。また、１は第１レンズＬ１を保持する第１レンズ枠、２は第２レンズＬ２を保持するバリエータ移動枠である。３は第３レンズＬ３を保持する第3レンズ枠で、４は第４レンズＬ４を保持するフォーカス移動枠である。５は前部鏡筒で、６は後部鏡筒である。前記前部鏡筒５は、第１レンズＬ１を14a,14ｂの振動減衰部材を介して所定位置に固定するため、その後端が後部鏡筒６に結合し、前端が前記第１レンズ枠１と固定されている。
【００３９】
なお、14a,14ｂの振動減衰部材については以降で説明する。  ７は不図示のＣＣＤセンサやＣＭＯＳセンサ等の撮像素子（光電変換素子）を保持するCCDホルダであり、前記後部鏡筒６に固定されている。
【００４０】
８a、８bは前部鏡筒５と後部鏡筒６とにより両端が保持された第１ガイドバー、第２ガイドバーである。また、第３ガイドバー９は第3レンズ枠3と前記後部鏡筒６とにより両端が保持されている。バリエータ移動枠２は、第１および第２ガイドバー８a、８bにより光軸方向に移動可能に支持されている。第３レンズ枠は、前部鏡筒5と後部鏡筒6により挟持されている。１０は撮影光学系に入射した光量を変化させる光量調節ユニットであり、第3レンズ枠3にビス止め固定される。２枚の絞り羽根を光軸直交方向に移動させて開口径を変化さ光量を調節する。
【００４１】
フォーカス移動枠４は第1および第3のガイドバー９により光軸方向に移動可能に支持されている。なお、第1レンズ枠１、バリエータ移動枠２、第3レンズ枠３、フォーカス枠４、前部鏡筒５、後部鏡筒６、CCDフォルダー7の材質は強度と寸法精度の観点から基本的にガラス繊維入りのポリカーボネイト材形成されている。
【００４２】
次に、バリエータ移動枠２（第２レンズL２）を移動させる駆動部の構成について説明する。２０１はバリエータ移動枠２を光軸方向に駆動するステッピングモータである。ステッピングモータ２０１の出力軸には、リードスクリュー２０２が形成されている。このステッピングモータ２０１は、支持部材２０３を介して後部鏡筒６に固定される。前記リードスクリュー２０２には、バリエータ移動枠２に取り付けられたラック２０４が噛み合っている。このため、ステッピングモータ２０１に通電されてリードスクリュー２０２が回転すると、バリエータ移動枠２が光軸方向に駆動される。
【００４３】
なお、前記ラック２０４、前記バリエータ移動枠２は、不図示のねじりコイルバネの付勢力によって互いのガタ付きが阻止されている。
【００４４】
２０６は、前記バリエータ移動枠２の基準位置を検出するためのズームリセットであり、前記バリエータ移動枠２に形成された不図示の遮光部の光軸方向への移動による遮光状態、透光状態の切り換わりを検出するフォトインタラプタにより構成されている。前記ズームリセット２０６は、フレキシブル基板１１を介して後部鏡筒６に固定されている。また、前記バリエータ移動枠２は、ステッピングモータの入力パルス数をカウントする事で、前記バリエータ移動枠２、つまりは第２レンズＬ２の所定の基準位置からの移動量を検出することができる。
【００４５】
次に、フォーカス移動枠４（第４レンズL４）を移動させるフォーカス駆動部の構成について説明する。４０１はフォーカス移動枠４を光軸方向に駆動するステッピングモータである。ステッピングモータ４０１の出力軸には、リードスクリュー４０２が形成されている。このステッピングモータ４０１は、支持部材４０３を介して後部鏡筒６に固定される。前記リードスクリュー４０２には、フォーカス移動枠４に取り付けられたラック４０４が噛み合っている。このため、ステッピングモータ４０１に通電されてリードスクリュー４０２が回転すると、フォーカス移動枠４が光軸方向に駆動される。
【００４６】
なお、前記ラック４０４、前記フォーカス移動枠４は、不図示のねじりコイルバネの付勢力によって互いのガタ付きが阻止されている。
【００４７】
４０６は、前記フォーカス移動枠４の基準位置を検出するためのフォーカスリセットであり、前記フォーカス移動枠４に形成された不図示の遮光部の光軸方向への移動による遮光状態、透光状態の切り換わりを検出するフォトインタラプタにより構成されている。前記フォーカスリセット４０６は、フレキシブル基板□□を介して後部鏡筒６に固定されている。また、前記フォーカス移動枠４は、ステッピングモータ４０１の入力パルス数をカウントする事で、前記フォーカス移動枠４、つまりは第４レンズＬ４の所定の基準位置からの移動量を検出することができる。
【００４８】
１２は不図示のIRカットフィルターを保持したIR保持枠である。IR保持枠１２を光軸直行方向に駆動しIRカットフィルターを光路上に出し入れする事で、赤外光を透過させたり遮光したりする。IRカットフィルターの切り替え駆動はガルバノメータ１３の回転軸に取り付けられた回転アームを駆動する事で行う。なお、IR保持枠１２はIR保持枠１２に設けられた軸穴とアームに設けられた軸で光軸直行方向に支持されており、光軸方向に対しては後部鏡筒６とCCDホルダ７で挟持されている。
【００４９】
ステッピングモータを駆動すると、レンズ鏡筒の騒音につながる振動が発生する。図８(ａ)は本発明を適用したレンズ鏡筒を第1レンズ１側から見た図である。（ｂ）は図８(ａ)を下側から見た図である。ステッピングモータ201・401を駆動すると駆動に応じて振動が発生する。発生した振動はまずモータ板金202・402に伝達する。
【００５０】
モータ板金202・402に伝達された振動は、モータ板金202・402と後部鏡筒6の接触部及び固定ビスを介して後部鏡筒6に伝達する（図８（ｃ））。後部鏡筒6に伝達された振動は後部鏡筒内を伝達し、前部鏡筒5及び第3レンズ保持枠3の固定部に伝わり（図８（ｃ）、（ｄ））後部鏡筒6・第3レンズ保持枠・前部鏡筒のそれぞれの接触部とビスを介して前部鏡筒に振動が伝達される。
【００５１】
次に前部鏡筒5から第1レンズ保持枠１への振動伝達について説明する。図８(ｅ)は従来の固定方法を示した図である。第1レンズ保持枠１と前部鏡筒5はビス止め箇所部が接触した状態でビスにより固定される。ビス止め箇所は径3箇所となっており、固定のバランスを崩さない程度に配置されている。なお、第1レンズ保持枠１と前部鏡筒5の接触箇所は前記3箇所のビス止め箇所以外はある一定のクリアランスを持って互いの部品で光軸方向に入れ子構造となっている。よって前記3箇所以外で接触する事はなく、かつ入れ子構造を取っている為、ゴミが入り込み難い構造となっている。前記の固定構造の振動伝達経路は下記二つとなっている。
（１）．第1レンズ保持枠１と前部鏡筒５の接触部
（２）．前部鏡筒５とビスの接触部を介し、ビスと前部鏡筒の接触部
よって（１）、（２）の振動伝達経路に振動減衰部材を配置する事が第1レンズ保持枠１に伝達される振動の抑制に効果的である。
【００５２】
図９は本実施例の固定部の構造と振動伝達における減衰効果の説明図である。14・15はビスから第1レンズ保持枠に振動が伝わる際に振動を減衰させる振動減衰部材である。前記振動減衰部材の材質は液晶ポリマーを採用している。本レンズ鏡筒で使用しているガラス繊維入りポリカーボネート材よりも密度が高く振動減衰性に優れた材料で成形されている。また液晶ポリマーは成形の際の樹脂流動性が良くかつ成形収縮が小さいと言う特徴があり、寸法精度が高く公差バラツキの小さい部品が成形可能である。
【００５３】
前記振動減衰部材14の14a部と第1レンズ保持枠が接触し、14bとビスが接触する。よって、前部鏡筒からビスに伝達された振動が14b部→14a部の順に振動が伝達される間に液晶ポリマーの振動減衰効果により第1レンズ枠１及び第1レンズL1の振動が小さくなる。
【００５４】
前記振動減衰部材15の15bと前部鏡筒5が接触し、15aと第1レンズが接触するこれにより前部鏡筒から第1レンズに振動が伝達する際に振動が減衰する。また、図１０に示すように第1レンズのΦB’と振動減衰部材15のΦB部が嵌合し、振動減衰部材14のΦAと振動減衰部材Φ15のΦA’部が嵌合する。これによりビスのネジ部と第1レンズ保持枠の間の接触箇所をなくす事ができる。
【００５５】
以上示した通り、前記の構成を取る事で前部鏡筒５から第1レンズ保持枠1に振動を伝達する経路上に振動減衰部材を配置する事で、振動の低減及びそれに係る騒音の低減効果を得る事ができる。
【００５６】
なお、本手法は第1レンズ保持枠と前側鏡筒保持枠の固定に限らず、前側鏡筒と後部鏡筒の固定部、ステッピングモータと後部鏡筒の固定部等の各種固定部に採用可能である。
【００５７】
なお、上記のように振動減衰部材を新たに部品として設けると部品の公差分光学性能への影響が懸念されるが、例えば図１１のように第1レンズ保持枠１のビス止め部周辺を2色成形にて液晶ポリマーにて成形する事で、従来通りのバラツキの範囲ないで設定可能である。
【００５８】
本発明は、例えば３５ｍｍフィルム用の写真カメラやデジタルスチルカメラやビデオカメラ、監視カメラ等に用いられているレンズ鏡筒または光学機器に関する。
【符号の説明】
【００５９】
Ｌ  レンズ鏡筒、Ｂ  カメラ本体、Ｌ１０１  第１レンズ、Ｌ１０２  第２レンズ、
Ｌ１０３  第３レンズ、Ｌ１０４  第４レンズ、１０１  第１レンズ保持枠、
１０２  バリエータ移動枠、１０３  第３レンズ保持枠、１０４  フォーカス移動枠、
１０５  可動部保持枠、１０６  第１ガイドバー、１０７  第２ガイドバー、
１０８  ラック、１０９  ラック、１１０  光量調整ユニット、
１１１  リセットセンサ、１１２  ステッピングモータ、１１３  ステッピングモータ、
１１４  フレキシブル基盤、α  固定部保持ユニット、β  可動部保持ユニット、
Ｌ1  第１レンズ、Ｌ２  第２レンズ、Ｌ３  第３レンズ、Ｌ４  第４レンズ、
1  第１レンズ保持枠、２  バリエータ移動枠、３  第３レンズ保持枠、
４  フォーカス移動枠、５  前部鏡筒、６  後部鏡筒、7７  ＣＣＤホルダー、
８  第１・第２ガイドバー、９  第３ガイドバー、１０  光量調整ユニット、
１１  フレキシブル基盤、１２  ＩＲ保持枠、１３  ガルバノメータ、
１４  振動減衰部材、２０１  ステッピングモータ、２０６  リセットセンサ、
４０１  ステッピングモータ、
４０６  リセットセンサ
【図１】
2016029420.tif 000003
【図２】
2016029420.tif 000004
【図３】
2016029420.tif 000005
【図４】
2016029420.tif 000006
【図５】
2016029420.tif 000007
【図６】
2016029420.tif 000008
【図７】
2016029420.tif 000009
【図８（ａ）】
2016029420.tif 000010
【図８（ｂ）】
2016029420.tif 000011
【図８（ｃ）】
2016029420.tif 000012
【図８（ｄ）】
2016029420.tif 000013
【図９】
2016029420.tif 000014
【図１０】
2016029420.tif 000015
【図１１】
2016029420.tif 000016